(57)【要約】【課題】簡素な構造を用いて、綴じ具本体と固定部材との安定した取付状態を維持することができるファイル綴じ具を提供する。【解決手段】ファイル表紙１を挟んでその内面１Ａ側に取り付けられる綴じ具本体３と、外面１Ｂ側に取り付けられて綴じ具本体３をスライド移動により着脱可能に固定する固定部材４とを具備し、固定部材４が、ファイル表紙の挿入孔１３ａ、１３ｂに、ファイル表紙１の外面１Ｂ側から挿入し内面１Ａ側に突出させて綴じ具本体３のスライド取付方向への移動及びスライド取付方向に略直交する方向への移動を規制する第１規制部４２、第２規制部４３を有するものであって、固定部材４に、スライド取付方向に対して略直角をなす姿勢で起立させた当接面４４ｂを有するストッパ４４を設け、綴じ具本体３に形成した開口部３１ｂのスライド取外し方向を向く開口縁部３１ｂ１を当接面４４ｂに当接させることにより、所定の取付位置に位置する綴じ具本体３のスライド取外し方向へのスライド移動を規制するようにした。【選択図】図６
2004255748.tif 000002
【特許請求の範囲】
【請求項１】
ファイル表紙を挟んでその内面側に取り付けられる綴じ具本体と、外面側に取り付けられて綴じ具本体をスライド移動により着脱可能に固定する固定部材とを具備し、固定部材が、ファイル表紙における固定部材の所定取付位置に形成したファイル表紙の挿入孔に外面側から挿入し内面側に突出させて、綴じ具本体のスライド取付方向への移動及びスライド取付方向に略直交する方向への移動を規制する規制部を有するものであって、
前記綴じ具本体または前記固定部材の一方に、スライド取付方向に対して直角乃至鋭角をなす姿勢で起立させた当接面を有するストッパを設け、他方の一部を前記当接面に当接させることにより、所定の取付位置に位置する前記綴じ具本体のスライド取外し方向へのスライド移動を規制することを特徴とするファイル綴じ具。
【請求項２】
前記固定部材に前記ストッパを設けるとともに、前記綴じ具本体の一部に開口部を形成し、該開口部のスライド取外し方向を向く開口縁部を前記当接面に当接させることにより綴じ具本体と固定部材とを相互に係わり合わせている請求項１記載のファイル綴じ具。
【請求項３】
前記綴じ具本体が、前記ファイル表紙の内面に沿って配置される基板と、該基板に取り付けられ前記ファイル表紙の内面側に紙葉類を綴じる綴じ要素とを備えたものであって、前記基板に、一部を切り起こして前記綴じ要素を保持する爪部を設けるとともに、前記開口部が、前記爪部を形成するために切り開けた部位である請求項２記載のファイル綴じ具。
【請求項４】
前記ストッパを複数設けるとともに、前記開口部を前記ストッパに対応して形成している請求項３記載のファイル綴じ具。
【請求項５】
前記固定部材に、固定部材の一部を切り開けて形成した部位をスライド取付方向に折り返すことにより前記ストッパを形成し、該ストッパの基端部に弾性変形可能な弾性変形部を形成するとともに、先端部に前記当接面を設けている請求項１、２、３又は４記載のファイル綴じ具。
【請求項６】
前記固定部材に、前記ストッパをファイル表紙の外面側から押し上げ操作可能な操作孔を形成している請求項５記載のファイル綴じ具。
【請求項７】
前記操作孔を、ストッパの先端部が位置する固定部材の所定箇所に設けるとともに、該操作孔の開口巾寸法を、前記ストッパの巾寸法より小さく設定している請求項６記載のファイル綴じ具。
【発明の詳細な説明】
【０００１】
【発明の属する技術分野】
本発明は、ファイルに適用されるファイル綴じ具に関するものである。
【０００２】
【従来の技術】
近時、分別廃棄やリサイクルの要請に鑑みて、廃棄時にファイル表紙から簡単に分離できるファイル綴じ具が考えられている。その一例として、例えばファイル表紙を挟んでその内面側に取り付けられる綴じ具本体をスライド移動させて、ファイル表紙の外面側に取り付けられる固定部材に着脱可能に固定するものが知られている。このファイル綴じ具は、固定部材に、綴じ具本体のスライド取付方向（綴じ具本体を所定の取付位置に取り付ける方向）への移動及びスライド取付方向に略直交する方向への移動を規制する規制部と、固定部材の一部をスライド取付方向に対して所定角度をもって側面視略直線状に切り起こしてなる板状のストッパとを設け、所定の取付位置において綴じ具本体の縁部を前記各規制部に当接または近接させることによって綴じ具本体のスライド取付方向への移動及びスライド取付方向に略直交する方向への移動を規制するとともに、綴じ具本体の下面に下方からプレス加工して形成した段差を構成する湾曲面を、前記ストッパの先端に当接させることによって綴じ具本体のスライド取外し方向（所定の取付位置にある綴じ具本体を取り外す方向）への移動をも規制し得るようにしている（例えば特許文献１参照）。
【０００３】
【特許文献１】
欧州特許出願公開第０４８２３５４号明細書（第１６図、第１７図）
【０００４】
【発明が解決しようとする課題】
ところが、上記のものは、スライド取付方向に対して所定角度をもって側面視略直線状に切り起こしてなるストッパの先端に、綴じ具本体の湾曲面を当接させている構成であるため、例えば誤操作や外部からの力によって綴じ具本体と固定部材との相対位置が若干変化した場合に、ストッパの先端が綴じ具本体の湾曲面に対して滑り易く、当初の当接状態が簡単に解除され、その結果、綴じ具本体のスライド取外し方向への移動が許容される。このように、ストッパの先端と綴じ具本体の湾曲面とがほとんど線接触に近い態様で当接しているため、その当接状態は不安定なものとなり、安定した取付状態を維持できないという不具合が生じる。
【０００５】
また、前記ストッパが、一端部を固定部材に連設した状態で残し、三方を略コの字形に切り開けて形成した小片を、前記一端部に若干の弾性を付与して下方からプレス加工して側面視略直線状に切り起こしたものであるため（前記特許文献第１４図参照）、切り起こしが不十分である場合には、ストッパの先端と綴じ具本体の湾曲部とを確実に当接させることが困難となる。そこで、ストッパの先端と綴じ具本体の湾曲面とを確実に当接させるために、ファイル表紙の外面側から適宜の工具を用いてストッパを押し上げる態様も態様も考えられるが、取付時に別途工具を用いなければならず、取付作業性を損なうという不具合を生じる。
【０００６】
本発明は、このような課題に着目してなされたものであって、主たる目的は、簡素な構造を用いて、綴じ具本体と固定部材との安定した取付状態を維持することができるファイル綴じ具を提供することにある。
【０００７】
【課題を解決するための手段】
すなわち、本発明のファイル綴じ具は、ファイル表紙を挟んでその内面側に取り付けられる綴じ具本体と、外面側に取り付けられて綴じ具本体をスライド移動により着脱可能に固定する固定部材とを具備し、固定部材が、ファイル表紙における固定部材の所定取付位置に形成したファイル表紙の挿入孔に外面側から挿入し内面側に突出させて、綴じ具本体のスライド取付方向への移動及びスライド取付方向に略直交する方向への移動を規制する規制部を有するものであって、綴じ具本体または固定部材の一方に、スライド取付方向に対して直角乃至鋭角をなす姿勢で起立させた当接面を有するストッパを設け、他方の一部を当接面に当接させることにより、所定の取付位置に位置する綴じ具本体のスライド取外し方向へのスライド移動を規制することを特徴とする。
【０００８】
ここで「スライド取付方向」とは、綴じ具本体を所定の取付位置に取り付ける方向を意味し、「スライド取外し方向」とは、所定の取付位置にある綴じ具本体を取り外す方向を意味する。
【０００９】
このようなものであれば、綴じ具本体を所定の取付位置に取り付けた状態において、綴じ具本体又は固定部材の一方に設けたスライド取付方向に対して直角乃至鋭角をなす姿勢で起立させた当接面に、他方の一部を当接させているため、例えば誤操作や外部からの力によって綴じ具本体と固定部材との相対位置が変化して、当接面と他方の一部との当接位置が多少ずれた場合であっても、当接面における他の部位に他方の一部を当接させることができ、綴じ具本体のスライド取外し方向への移動を確実に規制して、安定した取付状態を維持することができる。このことは、相互に当接する一方の部位がスライド取付方向に対して直角乃至鋭角をなす姿勢で起立させた面であることに起因する。また、綴じ具本体をスライド取付方向へ移動させるという極めて簡単な操作によって、綴じ具本体または固定部材の一方に設けた当接面と他方の一部とを相互に係わり合わせることができるため、従来のものと比較して、特別な部材や工具を用いてストッパと他方の一部とを当接させる手間を省略することができ、取付作業性の向上を図ることができる。一方、廃棄時には、例えば工具を用いてストッパの高さ位置を変化させることにより、綴じ具本体のスライド取外し方向への移動が許容され、綴じ具本体を固定部材から容易に取り外すことができ、ファイル綴じ具とファイル表紙とを簡単に分別することができる。
【００１０】
具体的な実施態様としては、前記固定部材に前記ストッパを設けるとともに、前記綴じ具本体の一部に開口部を形成し、この開口部のスライド取外し方向を向く開口縁部を前記当接面に当接させることにより綴じ具本体と固定部材とを相互に係わり合わせているものが挙げられる。
【００１１】
特に、前記綴じ具本体が、前記ファイル表紙の内面に沿って配置される基板と、この基板に取り付けられファイル表紙の内面側に紙葉類を綴じる綴じ要素とを備えたものであって、基板に、一部を切り起こして前記綴じ要素を保持する爪部を設けるとともに、前記開口部が、前記爪部を形成するために切り開けた部位であれば、爪部を形成する作業により、開口部を簡単に形成することができ、製作工程の簡素化を図ることができる。なお、紙葉類とは、ルーズリーフや台紙等の種々の用紙類は勿論のこと、綴じ込み可能なクリアホルダや下敷き等も含む概念である。
【００１２】
また、より安定した取付状態を実現するためには、前記ストッパを複数設けるとともに、前記開口部を前記ストッパに対応して形成すればよい。
【００１３】
ストッパの好適な一実施態様としては、前記固定部材に、固定部材の一部を切り開けて形成した部位をスライド取付方向に折り返すことにより前記ストッパを形成し、ストッパの基端部に弾性変形可能な弾性変形部を形成するとともに、先端部に前記当接面を設けているものが挙げられる。
【００１４】
また、当接面と開口縁部との当接状態をより安定したものにし、綴じ具本体のスライド取外し方向への移動を確実に防止するためには、前記固定部材に、前記ストッパをファイル表紙の外面側から押し上げ操作可能な操作孔を形成しているものが好ましく、その場合、前記操作孔を、ストッパの先端部が位置する固定部材の所定箇所に設けるとともに、この操作孔の開口巾寸法を、前記ストッパの巾寸法より小さく設定すれば、ストッパの先端部が操作孔に没入することを防止して、当接面と開口縁部とを当接させることができなくなることを確実に回避することができる。
【００１５】
【発明の実施の形態】
以下、本発明の一実施形態を、図面を参照して説明する。
【００１６】
本実施形態に係るファイル綴じ具２は、例えば図１に示すファイルＦに適用されるものである。このファイルＦは、ファイル表紙１と、ファイル表紙１に一体的に取り付けられるファイル綴じ具２とから構成される。
【００１７】
ファイル表紙１は、図２（ａ）に展開した状態の正面図、同図（ｂ）に（ａ）におけるｘ−ｘ線断面図で示すように、例えば合成樹脂素材からなる一体成形品であり、背表紙１１と、背表紙１１を挟んで一対にして設けた表表紙１２及び裏表紙１３とを有するものである。このファイル表紙１は、背表紙１１と表表紙１２との境界部分１Ｐ、及び背表紙１１と裏表紙１３との境界部分１Ｑに、ヒンジとして機能する溝部１Ｍを設け、当該溝部１Ｍを利用して谷折りに折畳可能に構成されている。表表紙１２には、後述する綴じ具本体３の綴じ要素３３の一部が挿入され得る綴じ要素挿入孔１２ａが形成されている。各綴じ要素収容孔１２ａの一部に開口寸法を小さく設定してなる巾狭部１２ｂを設け、ファイル表紙１を折り畳んだ状態において、綴じ要素３３の一部が巾狭部１２ｂに軽く係止するように構成している。裏表紙１３には、後述する固定部材４の第１規制部４２、第２規制部４３、ストッパ４４及び円筒部４５がそれぞれ挿入される挿入孔１３ａ、１３ｂ、１３ｃ、１３ｄを形成している。挿入孔１３ａ、１３ｂ、１３ｃは、第１規制部４２、第２規制部４３及びストッパ４４がそれぞれ挿入された状態において、挿入孔１３ａ、１３ｂ、１３ｃの各孔縁と各部４２、４３、４４との間にある程度のあそびが生じるように各孔寸法を設定したものであり、一方、挿入孔１３ｄは、円筒部４５が挿入された状態において、挿入孔１３ｄの孔縁と円筒部４５の縁部が略密着するようにその孔寸法を設定したものである。また、前記各境界部分１Ｐ、１Ｑには、標準的な成人の指先が十分に入る開口寸法を有する正面視略矩形状の指掛け部１Ｙを形成している。
【００１８】
ファイル綴じ具２は、図３及び図４等に図示するように、ファイル表紙１を挟んでファイル表紙１の内面１Ａ側に取り付けられる綴じ具本体３と、ファイル表紙１の外面１Ｂ側に取り付けられて綴じ具本体３をスライド移動により着脱可能に固定する固定部材４とを具備するものである。
【００１９】
綴じ具本体３は、裏表紙１３の内面１Ａに沿って配置され所定部位をプレス加工により上方に膨出させた平面視略矩形状の基板３１と、基板３１の上面３１Ａに配設してなる薄板状の板ばね３２と、板ばね３２に付勢されて開閉動作を行いファイル表紙１の内面１Ａ側に図示しない紙葉類を綴じる一対の綴じ要素３３と、この綴じ要素３３の開閉動作を操作する操作レバー３４とを具備してなるものである。綴じ要素３３は、それぞれ先端部位に部分円弧状のリング部３３１ａ、３３２ａを設けた第１半綴り桿３３１、第２半綴り桿３３２が、各リング部３３１ａ、３３２ａを相互に当接または近接させるように閉成することによってリング状をなすように成形されている。対をなす第１半綴り桿３３１は、その基端を基板３１の長尺方向の両端部に固設されている。対をなす第２半綴り桿３３２は、一本の金属製棒材を塑性変形加工してその両端に一体に形成してなるもので、この一対の第２半綴り桿３３２を連結している連結部３３３の両端部付近を、基板３１の一部を切り起こして湾曲させてなる一対の爪部３１ａに回動可能に保持されているとともに、連結部３３３の中央部を前記板ばね３２の上面に添設させている。前記各爪部３１ａを形成するために切り開けた部位には開口部３１ｂが形成される。各開口部３１ｂは、綴じ具本体３を所定の取付位置に取り付けたファイル表紙１を挟んで所定の取付位置に取り付けた綴じ具本体３と固定部材４とが重合する方向において、後述する固定部材４に形成した一対のストッパ４４と対応する位置関係に形成したものである。したがって、前記所定の取付位置においては、対応する開口部３１ｂとストッパ４４とがそれぞれ相互に係わり合う関係にある。操作レバー３４は、基端を基板３１から上方に突設してなる突出部３１ｃに回動可能に取り付けてなるもので、基端近傍に設けた押圧部３４ａ（図６参照）により連結部３３３と板ばね３２を下方に押圧して、綴じ要素３３を閉止状態に保持している。そして、操作レバー３４の操作端３４ｂを使用者が把持して上方に回動した場合に、板ばね３２と連結部３３３の押圧状態が解除されて、第２半綴り桿３３２が板ばね３２により付勢されて綴じ要素３３が開成する方向に回動して、綴じ要素３３に紙葉類を綴じることができるようになっている。なお、紙葉類とは、ルーズリーフや台紙等の種々の紙素材からなるものは勿論のこと、綴じ込み可能なクリアホルダや下敷き等も含む概念である。
【００２０】
固定部材４は、図４〜図６（図５（ａ）は平面図、同図（ｂ）は（ａ）におけるｙ−ｙ線側断面図である）等に示すように、一枚の例えば板金素材等からなる平面視略矩形状の基板４１を加工したものである。具体的には、基板４１の短寸方向の一端に、綴じ具本体３のスライド取付方向への移動を規制する第１規制部４２を設けるとともに、基板４１の長寸方向の両端に、綴じ具本体３のスライド取付方向に直交する方向への移動を規制する第２規制部４３を設けている。ここでスライド取付方向とは、綴じ具本体３を所定の取付位置に取り付ける方向（図６における矢印Ａ方向）を意味し、以後の説明において用いるスライド取外し方向とは、所定の取付位置にある綴じ具本体３を取り外す方向（同図における矢印Ｂ方向）を意味する。第１規制部４２は、基板４１の短寸方向の一端における略中央部を上方に略直角に折り曲げ、さらにスライド取外し方向へ折り曲げてなる側面略Ｌ字形のものであり、第２規制部４３は、基板４１の長寸方向の両端における所定領域をそれぞれ上方に略直角に折り曲げ、さらに長尺方向中央部に向けて折り曲げてなる正面視略Ｌ字形のものである。また、基板４１の長寸方向の両端部近傍領域に一部を略矩形状に切り開けさらに当該切り開けた部位をスライド取付方向へ所定角度をもって折り返してなるストッパ４４を形成している。このストッパ４４は、基端部に弾性変形可能な弾性変形部４４ａを有するとともに、先端部にスライド取付方向に対して略直角に折り曲げてなる当接面４４ｂを一体に形成し、当接面４４ｂの先端にはスライド取付方向に沿って延びる傾斜片４４ｃを設けている。当接面４４ｂ及び傾斜片４４ｃを含むストッパ４４の先端部の下方部位に、基板４１の肉厚方向に貫通する平面視略矩形状の操作孔４１ａを形成している。ここで、この操作孔４１ａの開口巾寸法４１ｘは、ストッパ４４の巾寸法４４ｘよりも小さく設定している。ストッパ４４よりも基板４１の長寸方向中央部側に偏位した所定箇所に上方へ突出させてなる円筒部４５を一体的に設けいる。この円筒部４５は、上下に貫通したパイプ状のものであり、外法径を前記裏表紙１３に形成した挿入孔１３ｄの孔径よりも僅かに小さく設定している。
【００２１】
次に、上記のような構成を有する綴じ具本体３及び固定部材４からなるファイル綴じ具２をファイル表紙１に取り付ける手順を図６を参照して説明する。
【００２２】
先ず、固定部材４を裏表紙１３の外面１Ｂ側に位置させ、固定部材４に設けた第１規制部４２、第２規制部４３、ストッパ４４及び円筒部４５を、裏表紙１３に形成した各挿入孔１３ａ、１３ｂ、１３ｃ、１３ｄに裏表紙１３の外面１Ｂから挿入して内面１Ａ側に突出させるようにして、固定部材４の基板４１をファイル表紙１の外面１Ｂに当接または近接させる。この際、相互の径寸法を略対応させている円筒部４５を挿入孔１３ｄに挿入することにより、固定部材４のファイル表紙１に対する位置が決められる。このように、円筒部４５及び挿入孔１３ｄは位置決め部としての役割を果たす。次いで、綴じ具本体３を固定部材４の第２規制部４３に案内させながら裏表紙１３の内面１Ａ側に沿ってスライド取付方向へ移動させると、所定位置において綴じ具本体３の基板３１の一縁３１ｄがストッパ４４に干渉し、綴じ具本体３のスライド取付方向への移動に伴って、ストッパ４４の基端部に設けた弾性変形部４４ａの弾性変形により一時的にストッパ４４が操作孔４１ａ側へ沈む（図６（ａ））。引き続き、綴じ具本体３を、基板３１の一縁３１ｄが固定部材４の第１規制部４２に当接する位置までスライド取付方向へ移動させると、ストッパ４４の上方に固定部材４の基板４１に形成した前記操作孔４１ａが位置し、綴じ具本体３の基板３１の一縁３１ｄとストッパ４４との干渉状態が解除され、ストッパ４４が弾性変形部４４ａの復元力により元の位置まで立ち上がる（同図（ｂ））。この状態において、綴じ具本体３をスライド取外し方向へ移動させようとすると、開口部３１ｂの取外し方向を向く開口縁部３１ｂ１がストッパ４４の当接面４４ｂに当接し、綴じ具本体３のスライド取外し方向への移動が規制される。同時に、第１規制部４２により、綴じ具本体３のスライド取付方向への移動が規制されるとともに、第２規制部４３により、綴じ具本体３のスライド取付方向に直交する方向への移動も規制される。以上の手順により、綴じ具本体３を所定の取付位置に固定するようにしてファイル綴じ具２をファイル表紙１に一体的に取り付ける。なお、固定部材４の操作孔４１ａを利用して、裏表紙１３の外面１Ｂ側から例えばマイナスドライバ等の工具を用いて、ストッパ４４の先端部を押し上げることにより、当接面４４ｂと開口縁部３１ｂ１とを確実に当接させるようにしてもよい。
【００２３】
また、廃棄時には、前記開口部３１ｂから前記工具を用いて、ストッパ４４の先端部を操作孔４１ａ側に押し下げることにより、前記開口縁部３１ｂ１と当接面４４ｂとの当接状態が解除され、綴じ具本体３をスライド取外し方向へ移動させることによって、綴じ具本体３を固定部材４から取り外す。そして、固定部材４を裏表紙１３から取り外すことにより、ファイル綴じ具２とファイル表紙１とを分別する。
【００２４】
このように、本実施形態に係るファイル綴じ具２は、ファイル表紙１を挟んでその内面１Ａ側に取り付けられる綴じ具本体３と、外面１Ｂ側に取り付けられて綴じ具本体３をスライド移動により着脱可能に固定する固定部材４とを具備し、固定部材４が、ファイル表紙の挿入孔１３ａ、１３ｂに、ファイル表紙１の外面１Ｂ側から挿入して内面１Ａ側に突出し、綴じ具本体３のスライド取付方向への移動及びスライド取付方向に略直交する方向への移動を規制する第１規制部４２、第２規制部４３を有するものであって、固定部材４に、スライド取付方向に対して略直角をなす姿勢で起立させた当接面４４ｂを有するストッパ４４を設け、綴じ具本体３に形成した開口部３１ｂのスライド取外し方向を向く開口縁部３１ｂ１を当接面４４ｂに当接させることにより、所定の取付位置に位置する綴じ具本体３のスライド取外し方向へのスライド移動を規制しているため、例えば誤操作や外部からの力によって綴じ具本体３と固定部材４との相対位置が変化して、当接面４４ｂと開口縁部３１ｂ１部との当接位置が多少ずれた場合であっても、当接面４４ｂにおける他の部位に開口縁部３１ｂ１を当接させることができ、綴じ具本体３のスライド取外し方向への移動を確実に規制して、安定した取付状態を維持することができる。また、綴じ具本体３をスライド取付方向へ移動させるという極めて簡単な操作によって、当接面４４ｂと開口縁部３１ｂ１とを相互に係わり合わせることができるため、取付作業性の向上を図ることができる。加えて、廃棄時には、工具を用いてストッパ４４の先端部の高さ位置を下げることにより、綴じ具本体３のスライド取外し方向への移動が許容され、綴じ具本体３を固定部材４から容易に取り外すことができ、ファイル綴じ具２とファイル表紙１とを簡単に分別することができる。
【００２５】
特に、綴じ具本体３が、ファイル表紙１の内面１Ａに沿って配置される基板３１と、基板３１に取り付けられファイル表紙１の内面１Ａ側に紙葉類を綴じる綴じ要素３３とを備えたものであって、基板３１に、一部を切り起こして綴じ要素３３を保持する爪部３１ａを設けるとともに、開口部３１ｂが、爪部３１ａを形成するために切り開けた部位であるため、爪部３１ａを形成する作業により、開口部３１ｂを簡単に形成することができ、開口部３１ｂを形成するために別途特別な加工を施す必要がなく、製作製作工程の簡素化を図ることができる。
【００２６】
また、前記ストッパ４４を一対にして設けるとともに、開口部３１ｂをストッパ４４に対応して一対に形成しているため、より安定した取付状態を実現することができる。
【００２７】
さらに、固定部材４の基板４１の一部を切り開けて形成した部位をスライド取付方向に折り返すことによりストッパ４４を形成しているため、ストッパ４４を簡単に成形することができ、加えて、ストッパ４４の基端部に弾性変形可能な弾性変形部４４ａを形成するとともに、先端部に当接面４４ｂを設けているため、弾性変形部４４ａの復元力を増大させることができ、弾性変形部４４ａの復元力により当接面４４ｂと開口縁部３１ｂ１とをより確実に当接させることができる。
【００２８】
また、固定部材４に、ストッパ４４をファイル表紙１の外面１Ｂ側から押し上げ操作可能な操作孔４１ａを形成しているため、操作孔４１ａを利用してストッパ４４を下方から押し上げることにより、弾性変形部４４ａの復元力と相俟って当接面４４ｂと開口縁部３１ｂ１とをより確実に当接させることができ、綴じ具本体３のスライド取外し方向への移動を防止して良好な取付状態を実現することができる。
【００２９】
特に、操作孔４１ａを、ストッパ４４の先端部が位置する固定部材４の基板４１に設けているので、ストッパ４４を簡単に押し上げることができるとともに、この操作孔４１ａの開口巾寸法４１ｘを、ストッパ４４の巾寸法４４ｘより小さく設定しているため、ストッパ４４の先端部が操作孔４１ａに没入することを防止して、当接面４４ｂと開口縁部３１ｂとを当接させることができなくなることを有効に回避することができる。
【００３０】
なお、本発明は、以上に詳述した実施形態に限られるものではない。
【００３１】
例えば、当接面は、スライド取付方向に対して直角に起立させたものに限らず、スライド取付方向に対して鋭角に起立させたものであれば好適に用いることができる。
【００３２】
また、上記実施形態においては、ストッパを一対にして設けたものを採用しているが、ストッパの個数を適宜増減しても構わない。その場合、開口部をストッパに対応して形成すればよい。
【００３３】
ファイル綴じ具は、一対の綴じ要素を有するものに限らず、複数の綴じ要素を有するものであっても勿論構わない。
【００３４】
また、綴じ具本体にストッパを設け、固定部材の一部をストッパに当接させるようにしてもよい。
【００３５】
その他、各部の具体的構成についても上記実施形態に限られるものではなく、本発明の趣旨を逸脱しない範囲で種々変形が可能である。
【００３６】
【発明の効果】
以上説明したように本発明によれば、綴じ具本体を所定の取付位置に取り付けた状態において、綴じ具本体又は固定部材の一方に設けたスライド取付方向に対して直角乃至鋭角をなす姿勢で起立させた当接面に、他方の一部を当接させているため、例えば誤操作や外部からの力によって綴じ具本体と固定部材との相対位置が変化して、当接面と他方の一部との当接位置が多少ずれた場合であっても、当接面における他の部位に他方の一部を当接させることができ、綴じ具本体のスライド取外し方向への移動を確実に規制して、安定した取付状態を維持することができる。また、綴じ具本体をスライド取付方向へ移動させるという極めて簡単な操作によって、綴じ具本体または固定部材の一方に設けた当接面と他方の一部とを相互に係わり合わせることができるため、従来のものと比較して例えば、特別な部材や工具を用いてストッパと他方の一部とを当接させる手間を省略することができ、取付作業性の向上を図ることができる。また、廃棄時には、工具を用いてストッパの高さ位置を下げることにより、綴じ具本体のスライド取外し方向への移動が許容され、綴じ具本体を固定部材から容易に取り外すことができ、ファイル綴じ具とファイル表紙とを簡単に分別することができる。
【図面の簡単な説明】
【図１】本発明の一実施形態におけるファイルの全体斜視図。
【図２】同実施形態におけるファイル表紙の平面図及び断面図。
【図３】同実施形態に係るファイル綴じ具の全体斜視図。
【図４】図３の分解斜視図。
【図５】同実施形態における固定部材の平面図及び側断面図。
【図６】作用説明図。
【符号の説明】
１…ファイル表紙
１３ａ、１３ｂ…挿入孔
２…ファイル綴じ具
３…綴じ具本体
３１…基板
３１ａ…爪部
３１ｂ…開口部
３１ｂ１…開口縁部
３３…綴じ要素
４…固定部材
４１ａ…操作孔
４２、４３…規制部（第１規制部、第２規制部）
４４…ストッパ
４４ａ…弾性変形部
４４ｂ…当接面
【図１】
2004255748.tif 000003
【図２】
2004255748.tif 000004
【図３】
2004255748.tif 000005
【図４】
2004255748.tif 000006
【図５】
2004255748.tif 000007
【図６】
2004255748.tif 000008